(57)【要約】【課題】車輪が低速回転時でも十分な回生が得られる制動力回生装置を提供することを目的とする。【解決手段】回転トルクを発生する動力源１１と、動力源１１に接続され、回転トルクの伝達を制御するクラッチ手段１３と、クラッチ手段１３に接続された変速手段１５と、変速手段１５に接続された車輪１７と、クラッチ手段１３に接続され、クラッチ手段１３の動力源側回転数と、クラッチ手段１３の変速手段側回転数の高い方から回転トルクを取り出す回転数選択手段１９と、回転数選択手段１９に接続され、回転数選択手段１９で取り出された回転トルクが伝達される発電機２１とから構成したものである。【選択図】図１
2009207243.tif 000002
【特許請求の範囲】
【請求項１】
回転トルクを発生する動力源と、
前記動力源に接続され、前記回転トルクの伝達を制御するクラッチ手段と、
前記クラッチ手段に接続された変速手段と、
前記変速手段に接続された車輪と、
前記クラッチ手段に接続され、前記クラッチ手段の動力源側回転数と、前記クラッチ手段の変速手段側回転数の高い方から前記回転トルクを取り出す回転数選択手段と、
前記回転数選択手段に接続され、前記回転数選択手段で取り出された前記回転トルクが伝達される補機とからなる制動力回生装置。
【請求項２】
前記変速手段には制御手段が接続された構成を有し、
前記制御手段は、前記車輪の減速時に前記動力源側回転数より前記変速手段側回転数の方が高くなるように、前記変速手段の変速比を制御するようにした請求項１に記載の制動力回生装置。
【請求項３】
前記クラッチ手段には制御手段が接続された構成を有し、
前記制御手段は、前記車輪の減速時に前記動力源と前記変速手段の間を分離するように、前記クラッチ手段を制御するようにした請求項１に記載の制動力回生装置。
【請求項４】
前記クラッチ手段には制御手段が接続された構成を有し、
前記制御手段は、前記車輪の減速時に、前記動力源側回転数が前記動力源の燃料遮断可能な下限回転数以上であれば前記動力源と前記変速手段の間を係合し、前記下限回転数より小さければ前記動力源と前記変速手段の間を分離するように、前記クラッチ手段を制御するようにした請求項１に記載の制動力回生装置。
【請求項５】
前記動力源には制御手段が接続された構成を有し、
前記制御手段は、前記車輪の減速時に前記動力源を停止するように制御するようにした請求項１に記載の制動力回生装置。
【請求項６】
前記補機は発電機であり、前記発電機には発電した電力を蓄電する蓄電手段が接続された構成を有する請求項１に記載の制動力回生装置。
【請求項７】
前記発電機と前記蓄電手段の間にはＤＣ／ＤＣコンバータが接続された構成を有し、
前記ＤＣ／ＤＣコンバータは、前記車輪の減速時に前記発電機の発電電力を前記蓄電手段に充電するようにした請求項６に記載の制動力回生装置。
【請求項８】
前記蓄電手段はキャパシタである請求項６に記載の制動力回生装置。
【請求項９】
前記発電機には制御手段が接続された構成を有し、
前記制御手段は、前記車輪の減速時に前記変速手段側回転数が前記動力源側回転数より低くなれば、前記発電機の発電を停止するようにした請求項６に記載の制動力回生装置。
【発明の詳細な説明】
【技術分野】
【０００１】
本発明は、車両の減速時に補機を駆動することにより運動エネルギーを回収する制動力回生装置に関するものである。
【背景技術】
【０００２】
近年、環境への配慮や燃費向上のために、減速中の車両の運動エネルギーを活用する様々な装置が提案されている。例えば、特許文献１には車両減速時の慣性力による車輪の回転トルクを活用してエアコンのコンプレッサや発電機（オルタネータ）等の補機を駆動することで、減速時におけるエンジンの補機駆動に必要な燃料消費を抑制することができる補機駆動装置が提案されている。図５はこのような補機駆動装置の全体構成図である。
【０００３】
図５において、車両のエンジン１０１は減速機構１０３、デファレンシャル１０５を介して車軸１０７を回転させる。これにより、車軸１０７に固定した車輪１０９が回転し、車両を駆動している。一方、エンジン１０１にはクランク軸１１１を介してクランク軸プーリ１１３が接続されている。クランク軸プーリ１１３にはベルト１１５を介してオルタネータやコンプレッサ等の補機１１７、およびエンジン１０１の電動始動装置１１９が接続されている。従って、エンジン１０１を始動する時には、バッテリ（図示せず）からの電力で電動始動装置１１９を駆動することにより、ベルト１１５、クランク軸プーリ１１３が回転し、これによりエンジン１０１の始動が可能となる。また、エンジン１０１の駆動中は、クランク軸プーリ１１３、ベルト１１５を介して補機１１７が駆動するので、発電やエアコン駆動等が可能となる。
【０００４】
次に、減速時の動作について説明する。車軸１０７には車軸プーリ１２１が設けられており、クランク軸プーリ１１３との間にベルト１２３が配されている。また、クランク軸プーリ１１３と車軸プーリ１２１にはクラッチ機構が内蔵されている。これにより、減速時にはクランク軸プーリ１１３をオフ（分離）、車軸プーリ１２１をオン（係合）とすることで、車両の運動エネルギーによる車軸１０７の回転トルクがベルト１２３、１１５を介して補機１１７に伝達される。従って、車両減速時の運動エネルギーによって補機１１７を駆動することができる。この時、エンジン１０１の回転トルクは補機１１７に伝達されないので、エンジン１０１を停止することが可能となる。このように、減速時の補機１１７を駆動するエネルギーは、車両の減速による運動エネルギーから得られるので、燃料を使用することなく補機１１７を駆動でき、減速時のエンジン１０１の停止と併せて車両全体の燃費が向上する。
【特許文献１】特開２００２−１７４３０５号公報
【発明の開示】
【発明が解決しようとする課題】
【０００５】
上記の補機駆動装置によると、確かに減速時にエンジン１０１を停止しても、車両の運動エネルギーに基づく車輪１０９の回転トルクにより補機１１７を駆動でき、燃費向上が図れるのであるが、車輪１０９が低速回転する際に、次のような課題があった。
【０００６】
例えば、図５の補機駆動装置を電力の回生装置として適用した場合、構成としては簡単には、発電機からなる補機１１７に、制動で得られた電力を蓄える蓄電手段を接続すればよい。この場合、車輪１０９が高速回転している時は補機１１７も高速回転し、減速時の回生による発電電力（以下、回生電力という）が十分に得られるのであるが、例えば渋滞時に加減速を繰り返し、車輪１０９が低速でしか回転しない時は、補機１１７の回転数も低いままとなり、十分な回生電力が得られないという課題があった。同様に、補機１１７がコンプレッサや油圧ポンプである場合も、車輪１０９が低速回転している時はエネルギー回生による圧力が十分に得られないという課題があった。
【０００７】
本発明は、前記従来の課題を解決するもので、車輪１０９が低速回転時でも十分な回生が得られる制動力回生装置を提供することを目的とする。
【課題を解決するための手段】
【０００８】
前記従来の課題を解決するために、本発明の制動力回生装置は、回転トルクを発生する動力源と、前記動力源に接続され、前記回転トルクの伝達を制御するクラッチ手段と、前記クラッチ手段に接続された変速手段と、前記変速手段に接続された車輪と、前記クラッチ手段に接続され、前記クラッチ手段の動力源側回転数と、前記クラッチ手段の変速手段側回転数の高い方から前記回転トルクを取り出す回転数選択手段と、前記回転数選択手段に接続され、前記回転数選択手段で取り出された前記回転トルクが伝達される補機とからなるものである。
【発明の効果】
【０００９】
本発明の制動力回生装置によれば、変速手段と回転数選択手段を介して車輪の回転トルクを補機に伝達するので、渋滞時等で車輪が低速回転している時は、変速手段により車輪の回転数よりも高い回転数が得られる。また、減速中で車輪の回転トルクが動力源の回転トルクより大きくなりクラッチ手段がオフになると、変速手段側回転数が動力源側回転数より高くなる。従って、これらの場合には、回転数選択手段は、動力源側回転数と変速手段側回転数の高い方を補機に伝達するので、車輪の回転トルクが補機に伝達されることになる。よって、車輪が低速回転していても、車輪より高い回転数が補機に伝達されるので、十分な回生が得られ、さらなる燃費向上に寄与する制動力回生装置を実現できるという効果が得られる。なお、停車している時は、クラッチ手段がオフとなり動力源はアイドリング状態となるが、この動力源側回転数は変速手段側回転数（＝０）より大きくなるので、回転数選択手段により動力源の回転トルクが補機に伝達される。この動作は一般の車両と同様である。従って、一般の車両の動作を行うことができるとともに、十分な回生が得られる制動力回生装置を実現できる。
【発明を実施するための最良の形態】
【００１０】
以下、本発明を実施するための最良の形態について図面を参照しながら説明する。
【００１１】
（実施の形態１）
図１は、本発明の実施の形態１における制動力回生装置の概略構成図である。図２は、本発明の実施の形態１における制動力回生装置の各種特性の経時変化図であり、（ａ）は車速の経時変化図を、（ｂ）はクラッチ手段の回転数の経時変化図を、（ｃ）は発電量の経時変化図を、（ｄ）はＤＣ／ＤＣコンバータ入力電力の経時変化図を、（ｅ）は蓄電手段蓄電量の経時変化図を、それぞれ示す。なお、図１において太二重線は各種回転軸を示す。また、本実施の形態１では補機として発電機を用いた場合について述べる。
【００１２】
図１において、車両のエンジンである動力源１１は回転軸を介してクラッチ手段１３の一端に接続されている。クラッチ手段１３の他端には回転軸を介して変速手段１５が接続されている。従って、クラッチ手段１３は動力源１１と変速手段１５の間の回転軸を係合、分離する機能を有する。これにより、動力源１１で発生した回転トルクの伝達は、クラッチ手段１３により制御される。なお、クラッチ手段１３には、例えばトルクコンバータを用いてもよい。また、変速手段１５は油圧により変速する自動変速機構付きのものを用いた。
【００１３】
変速手段１５の出力側には回転軸を介して車輪１７が接続されている。なお、変速手段１５と車輪１７の間にはデファレンシャルが介されているが、図１では省略している。
【００１４】
クラッチ手段１３には回転数選択手段１９が接続されている。具体的には、図１に示すように、動力源１１とクラッチ手段１３の間、およびクラッチ手段１３と変速手段１５の間に回転数選択手段１９が接続される構成としている。また、回転数選択手段１９で取り出された回転トルクの出力には、補機として発電機２１が接続されている。
【００１５】
ここで、回転数選択手段１９の詳細構成を述べる。回転数選択手段１９は図１の細点線で囲まれた部分であり、まず動力源１１とクラッチ手段１３の間には、動力源１１の回転トルクを取り出す動力源側プーリ２３が設けられている。動力源側プーリ２３は動力源１１からの回転軸に直結された構成とした。同様に、クラッチ手段１３と変速手段１５の間には、変速手段１５の回転トルクを取り出す変速手段側プーリ２５が設けられている。変速手段側プーリ２５も変速手段１５からの回転軸に直結された構成とした。動力源側プーリ２３と変速手段側プーリ２５は、それぞれベルト２７を介して発電機側プーリ２９に接続されている。なお、発電機側プーリ２９は２個設けられており、いずれも図１に示すように発電機２１に接続された回転軸に取り付けられている。また、発電機側プーリ２９は、いずれもワンウェイクラッチ機構を内蔵しており、動力源１１とクラッチ手段１３の間の動力源側回転数、およびクラッチ手段１３と変速手段１５の間の変速手段側回転数の内、高い方から回転トルクを取り出し、発電機２１に伝達するように構成されている。
【００１６】
なお、図１ではクラッチ手段１３と変速手段１５を分けて記載しているが、本実施の形態１ではクラッチ手段１３をロックアップ機構付きトルクコンバータとし、自動変速機構を有する変速手段１５と一体構成を有するものとした。従って、変速手段側プーリ２５はクラッチ手段１３と変速手段１５の間の部分に内蔵され、ベルト２７によって変速手段側の回転トルクを取り出す構成となる。また、ベルト２７についても、それに限定されるものではなく、ギアや回転軸によって変速手段側の回転トルクを取り出す構成としてもよい。また、前記ロックアップ機構は外部からオンオフできる構成としているので、クラッチ手段１３の係合、分離を外部制御できる。
【００１７】
次に、電気的接続の詳細構成について説明する。発電機２１には一般の車両と同様に、バッテリ３１と電気負荷３３が接続されている。なお、本実施の形態１における電気負荷３３は車両に搭載された電装品であり、動力源１１によって駆動されるエアコン用コンプレッサや各種油圧ポンプ等は含まない。上記構成に加え、本実施の形態１では発電機２１の出力がＤＣ／ＤＣコンバータ３５を介して蓄電手段３７に接続されている。ここで、蓄電手段３７は急速充放電が可能で大容量の電気二重層キャパシタを用いた。これにより、車両の減速時に発生する急峻な回生電力を十分に蓄電することが可能となる。なお、蓄電手段３７の蓄電量は、電気二重層キャパシタの動作時の電圧範囲において、下限電圧の場合を０％、上限電圧の場合を１００％として定義する。
【００１８】
一方、動力源１１、クラッチ手段１３、変速手段１５、発電機２１、およびＤＣ／ＤＣコンバータ３５には制御手段３９が接続されている。制御手段３９はマイクロコンピュータと周辺部品から構成されており、前記したもの以外にも、図示していないが動力源側プーリ２３と変速手段側プーリ２５の近傍にそれぞれ設けた回転センサが接続され、それぞれの回転数を検出している。さらに、車両全般にわたる制御を司る。
【００１９】
次に、このような制動力回生装置の動作について、図２を参照しながら説明する。なお、図２において全てのグラフの横軸は時間を示す。また、図２では車両が渋滞時に加減速を繰り返すものの車速があまり上がらない状況の例を示す。従って、図２の動作期間中には変速手段１５の自動変速機はロー（１速）ギアのまま、またはシフトアップしてもセカンド（２速）ギアまでの状態とする。
【００２０】
まず、時間ｔ０で車両が停止していたとする。従って、図２（ａ）に示すように車速は０である。また、動力源１１はアイドリング状態であるので、アイドリング回転数ｒｉを維持している。従って、図２（ｂ）に示すように、動力源側の回転数（図２（ｂ）の太実線で示す）は時間ｔ０でアイドリング回転数ｒｉとなる。この時、車両はブレーキにより停止しているので、車輪１７の回転数は０である。従って、車輪１７と接続された変速手段１５も回転していないので、変速手段側の回転数（図２（ｂ）の太点線で示す）は時間ｔ０で０となる。これらのことから、クラッチ手段１３の動力源側と変速手段側の回転数が異なることになるので、車両停止時において制御手段３９はクラッチ手段１３のロックアップ機構をオフにしている。これにより、クラッチ手段１３は動力源側と変速手段側を分離している。なお、本実施の形態１では、クラッチ手段１３のロックアップ機構は制御手段３９によりオンオフ制御が行われるが、これは減速時に既定の車速に至れば機械的にオフになる機構を組み込んだ構成としてもよい。
【００２１】
図２（ｂ）より、クラッチ手段１３の回転数は動力源側の方が変速手段側より高いので、回転数選択手段１９は回転数の高い方、すなわち動力源側の回転トルクを機械的に発電機２１に伝達する。これにより、図２（ｃ）に示すように発電機２１は動力源１１のアイドリング回転により駆動されて一定の発電を行う。この電力は電気負荷３３に供給されるとともに、バッテリ３１の充電状態によっては、その充電が行われる。なお、電気負荷３３の消費電力は図２の時間ｔ０以降、一定であるとして、以下説明する。
【００２２】
ここで、時間ｔ０においては、車両が停止しているので回生電力を得ることができない。従って、制御手段３９はＤＣ／ＤＣコンバータ３５を停止している。ゆえに、図２（ｄ）に示すようにＤＣ／ＤＣコンバータ３５の入力電力は０となり、蓄電手段３７への充電は行われない。よって、図２（ｅ）に示すように、蓄電手段３７は蓄電量０％の状態を維持する。
【００２３】
次に、時間ｔ１でブレーキが解除され、アクセルペダルが踏み込まれることにより車両が加速を始めたとする。これにより、図２（ａ）に示すように、車速は経時的に大きくなる。その結果、図２（ｂ）の太実線に示すように、動力源側の回転数は経時的に上昇し、それに応じてクラッチ手段１３のトルクコンバータにより変速手段側の回転数（太点線）も経時的に上昇する。この時、時間ｔ１では動力源１１はアイドリング回転数であり、変速手段１５は回転していないので、動力源側の回転数の方が高いが、やがて時間ｔ２にて両者の回転数は一致し、さらに回転数は上昇を続ける。この時間ｔ１から時間ｔ２の間は、動力源側の回転数の方が高いので、発電機２１は動力源側プーリ２３の回転トルクにより駆動される。この際、前記したように電気負荷３３の消費電力は一定であるので、図２（ｃ）に示すように、発電機２１の発電量は一定である。また、時間ｔ１から時間ｔ２の間は、加速中であるので回生電力が発生しない。ゆえに、ＤＣ／ＤＣコンバータ３５は停止したままであり、図２（ｄ）に示すように、その入力電力は０を維持する。従って、蓄電手段３７への充電も行われないので、その蓄電量は０％のままである。
【００２４】
次に、時間ｔ２から時間ｔ３では、加速中であるが、動力源側と変速手段側の回転数が一致した状態である。この場合、クラッチ手段１３のトルクコンバータによる損失を低減するために、制御手段３９はロックアップ機構をオンにする。これにより、動力源側と変速手段側がクラッチ手段１３により係合されたことになるので、燃費向上を図ることができる。また、前記したように時間ｔ２から時間ｔ３では動力源側と変速手段側の回転数が等しいので、発電機２１は動力源側と変速手段側の両方の回転トルクにより駆動されるが、時間ｔ１から時間ｔ２と同様に、発電機２１の発電量は変わらない。従って、ＤＣ／ＤＣコンバータ３５の入力電力は０であり、蓄電手段３７の蓄電量は０％のままである。
【００２５】
次に、時間ｔ３で加速を終了し、車輪１７が減速を開始したとする。これにより、動力源１１から出力される回転トルクはほぼ０となり、車両の運動エネルギーにより得られる車輪１７からの回転トルクにより、変速手段１５を介してクラッチ手段１３が回転する。この時、クラッチ手段１３はロックアップ機構により係合されているので、動力源側プーリ２３と変速手段側プーリ２５は同じ回転数で回転する。従って、発電機２１は両方のプーリの回転トルクで駆動されるので、得られる電力は車両の運動エネルギーによるものとなる。ゆえに、車両制動による運動エネルギーを回生電力として回収することが可能となる。
【００２６】
なお、本実施の形態１では、減速時に発電機２１の発電出力を上げることにより、さらに効率よく制動による運動エネルギーを回生する例を以下に示す。
【００２７】
車輪１７が減速すると、図２（ａ）、（ｂ）に示すように、車速とクラッチ手段の回転数はそれぞれ経時的に減少する。この時、制御手段３９は発電機２１に対し、車輪１７の減速による回生電力を回収するために発電量を上げるように制御する。すなわち、制御手段３９はＤＣ／ＤＣコンバータ３５に対して、発電機２１を一時的に大出力で発電させ、発生した回生電力を蓄電手段３７に充電するように制御する。その結果、図２（ｃ）に示すように、時間ｔ３で発電機２１の発電量は回生電力の分、大きくなる。従って、発電機２１は、時間ｔ３までに供給していた電気負荷３３への電力と、蓄電手段３７に供給する回生電力の合計を発電することになる。回生電力の発生により、図２（ｄ）に示すように、ＤＣ／ＤＣコンバータ３５の入力電力は時間ｔ３で急峻に大きくなり、一定値となる。これは、ＤＣ／ＤＣコンバータ３５の入力電力が一定になるように制御されているためである。この動作により、蓄電手段３７の充電が開始され、その蓄電量は図２（ｅ）に示すように、時間ｔ３から経時的に大きくなる。
【００２８】
なお、時間ｔ３の減速開始時においては、燃費向上のために、従来と同様に動力源１１への燃料供給が遮断される。
【００２９】
次に、時間ｔ３以降では、車速の低下とともに、図２（ｂ）に示すように、クラッチ手段１３の回転数も低下するが、時間ｔ４まではクラッチ手段１３が係合した状態であるので、動力源１１は燃料を消費することなく車輪１７により回転させられている。ゆえに、動力源側回転数と変速手段側回転数が一致した状態である。
【００３０】
時間ｔ４では、動力源側回転数は、動力源１１の燃料遮断が可能な下限回転数ｒｃに至る。ここで下限回転数ｒｃとは、これ以上動力源１１の回転数を下げると、動力源１１に燃料を供給しても再始動できなくなる下限の回転数のことである。従って、制御手段３９は回転センサ（図示せず）により検出されたクラッチ手段１３の回転数が下限回転数ｒｃに至ると、動力源１１に対し燃料を供給するように制御する。
【００３１】
また、クラッチ手段１３の回転数が下限回転数ｒｃより小さくなると、制御手段３９はクラッチ手段１３に対し動力源１１と変速手段１５の間を分離するように制御する。具体的には、クラッチ手段１３のロックアップ機構をオフにする。これにより、動力源側回転数は図２（ｂ）の太実線に示すように速やかに低下し、アイドリング回転数ｒｉに至ると、その回転数を維持する。この時（時間ｔ４から時間ｔ５）は、クラッチ手段１３の変速手段側回転数が動力源側回転数より高いので、発電機２１は変速手段側プーリ２５によって駆動される。従って、引き続き制動による運動エネルギーが回生される。これにより、図２（ｃ）に示すように、発電量は時間ｔ４までと同じ状態を維持するとともに、図２（ｄ）に示すように、ＤＣ／ＤＣコンバータ３５の入力電力も時間ｔ４までと同じ状態を維持する。その結果、蓄電手段３７は充電され続け、図２（ｅ）に示すように、時間ｔ５まで蓄電量は上昇していく。
【００３２】
ここで、以上に説明した時間ｔ３〜ｔ５における車輪１７の減速は、平地走行の場合を示しているが、登坂時においては、車速が下がっているにもかかわらず動力源１１からの回転トルクで車輪１７が回転する場合がある。この際は、減速による運動エネルギーを回生できない。しかし、本実施の形態１では登坂時であっても、車輪１７からの回転トルクで動力源１１が回転する場合は、車輪１７の回転による変速手段側回転数が高くなり、回転数選択手段１９により自動的に車輪１７からの回転トルクを取り出すことができる。従って、平地の惰性走行から登坂状態になっても回生電力を得ることが可能となり、効率が向上する。
【００３３】
次に、時間ｔ５において、車速が低下することにより、図２（ｂ）に示すように動力源側回転数（太実線）が変速手段側回転数（太点線）より高くなったとする。この時、図２（ａ）に示すように車速は０に至っていないので、ゆっくり走行している状態である。これにより、回転数選択手段１９は回転数の高い方、すなわち動力源１１側から回転トルクを取り出し、発電機２１に伝達することになる。その結果、動力源１１により発電機２１が駆動されることになり、もはや回生電力を得ることができなくなる。そこで、制御手段３９は、車輪１７の減速時に、変速手段側プーリ２５と動力源側プーリ２３の近傍にそれぞれ設けた回転センサ（図示せず）により変速手段側回転数と動力源側回転数を検出し、前者が後者より低くなった時間ｔ５において、発電機２１の発電を停止するよう制御する。具体的には発電機２１への励磁電流を停止する。これにより、図２（ｃ）に示すように、発電機２１の発電量は０になる。
【００３４】
これと同時に制御手段３９は蓄電手段３７に充電した回生電力を放電するようにＤＣ／ＤＣコンバータ３５を制御する。この際、前記したように電気負荷３３が消費する電流を一定としているので、ＤＣ／ＤＣコンバータ３５から出力される電力も図２（ｄ）の時間ｔ５以降に示すように一定となる。なお、図２（ｄ）では縦軸がＤＣ／ＤＣコンバータ３５の入力電力であるので、ＤＣ／ＤＣコンバータ３５から電力を出力する場合は、負の入力電力として示す。
【００３５】
上記したように、回生電力を放電することにより、発電機２１を停止しても電気負荷３３への電力供給を賄うことができる。従って、電気負荷３３を停止させることなく、回生電力を有効に利用することができ、燃費向上が図れる。さらに、発電機２１を停止しているので、動力源１１の発電機２１を駆動するための機械的負担が軽減されるので、これによる燃費向上も可能となる。
【００３６】
このように、時間ｔ５以降で蓄電手段３７に充電した回生電力を電気負荷３３に対して放電するので、図２（ｅ）に示すように、蓄電手段３７の蓄電量は経時的に低下していく。
【００３７】
次に、図２（ａ）に示すように、時間ｔ６で車速が０になり、車輪１７が停止したとする。これにより、車輪１７に接続された変速手段側プーリ２５も停止するので、図２（ｂ）の太点線に示すように、変速手段側回転数は時間ｔ６で０になる。この時、図２（ｅ）に示すように、蓄電手段３７の蓄電量はまだ十分に高いので、制御手段３９は引き続きＤＣ／ＤＣコンバータ３５を動作させて蓄電手段３７の電力を電気負荷３３に供給する。従って、図２（ｄ）に示すように、ＤＣ／ＤＣコンバータ３５の入力電力は負の一定値を維持し、蓄電手段３７を放電し続ける。その結果、発電機２１は発電を行う必要がないので、図２（ｃ）に示すように、発電を停止したままとなる。
【００３８】
その後、時間ｔ６で一旦車両が停止したものの、すぐに再加速したとする。これにより、図２（ａ）に示すように、車速は時間ｔ６以降で再び上昇する。この再加速による運転者のアクセルペダルの踏み込みにより、図２（ｂ）に示すように動力源側回転数と変速手段側回転数の両方が経時的に増加する。なお、時間ｔ６の直後では動力源側回転数の方が変速手段側回転数より高くなるが、この状態は時間ｔ１の直後と同じである。
【００３９】
但し、時間ｔ１の直後と異なる点は、電気負荷３３への電力供給である。すなわち、時間ｔ６の直後では図２（ｅ）に示すように、蓄電手段３７の蓄電量はまだ十分に高いので、図２（ｄ）に示すように、ＤＣ／ＤＣコンバータ３５の入力電力は負の一定値を維持し、蓄電手段３７を放電する。これにより、電気負荷３３に電力を供給し続ける。従って、発電機２１は図２（ｃ）に示すように、発電を停止したままとなる。ゆえに、再加速時においても発電機２１の機械的負担が動力源１１にほとんど加わらないので、加速性が向上する効果も得られる。
【００４０】
その後の動作は図示していないが、基本的には蓄電手段３７の蓄電量が下がり、ＤＣ／ＤＣコンバータ３５から電気負荷３３に定電力を供給できなくなれば、制御手段３９はＤＣ／ＤＣコンバータ３５の動作を停止するとともに、発電機２１の発電を再開するように制御する。これにより、電気負荷３３は引き続き発電機２１の電力が供給されるので、動作し続けることが可能となる。この状態は図２の時間ｔ０から時間ｔ１と同じであるので、以後、このような動作を繰り返すことで、車輪１７の減速時の回生電力回収と、蓄電手段３７の放電時における発電機２１の停止により、車両の燃費向上を図ることができる。
【００４１】
なお、時間ｔ６以降で蓄電手段３７が放電している間に減速状態となれば、直ちに時間ｔ３と同じ動作を行えばよい。これにより、減速時の回生電力の回収量を増加することができる。但し、蓄電手段３７が満充電に至れば、電気二重層キャパシタを保護するために、それ以上の充電を停止する制御を行う。
【００４２】
ここで、これまでに説明したクラッチ手段１３の制御をまとめると、次のようになる。制御手段３９は、車輪１７の減速時に、動力源側回転数が動力源１１の燃料遮断可能な下限回転数ｒｃ以上であれば動力源１１と変速手段１５の間を係合し、下限回転数ｒｃより小さければ動力源１１と変速手段１５の間を分離するように、クラッチ手段１３を制御している。
【００４３】
このように制御することにより、図２（ｂ）に示すように、時間ｔ４から時間ｔ５では、変速手段側回転数が動力源側回転数より高くなる。これにより、回転数選択手段１９は動力源側回転数と変速手段側回転数の内、高い方、すなわち変速手段１５側から回転トルクを取り出し、発電機２１に伝達する。ゆえに、発電機２１は変速手段１５を介して車輪１７により回転されることになるが、この時、変速手段１５は前記したようにローギア、またはセカンドギアの状態である。ここで、変速手段１５の車輪１７側の回転数に対するクラッチ手段１３側の回転数の比（以下、変速比という）はローギア、セカンドギアとも１より大きい。従って、発電機２１は変速手段１５により車輪１７の回転数よりも高い回転数で駆動されることになる。その結果、車輪１７の回転数が低下しても変速手段１５によって回転数が高められるので、渋滞時等で車輪１７が低速回転していても十分な回生電力が得られる。
【００４４】
以上の構成、動作により、変速手段１５と回転数選択手段１９を介して車輪１７の回転トルクを発電機２１に伝達する構成としたことにより、車輪１７の低速回転時に変速手段１５により車輪１７の回転数よりも高い回転数が得られるとともに、回転数選択手段１９は、動力源側回転数と変速手段側回転数の高い方から回転トルクを取り出し、発電機２１に伝達するので、車輪１７が低速回転していても、車輪１７より高い回転数が発電機２１に伝達される。ゆえに、十分な回生電力が得られ、燃費向上が可能な制動力回生装置を実現できる。
【００４５】
なお、本実施の形態１において、制御手段３９は車輪１７の減速時に、動力源側回転数が下限回転数ｒｃ以上であれば動力源１１と変速手段１５の間を係合し、下限回転数ｒｃより小さければ動力源１１と変速手段１５の間を分離するように、クラッチ手段１３を制御しているが、蓄電手段３７が十分に大きな容量を持っている場合は、車輪１７が減速すれば、動力源１１と変速手段１５の間を分離するように制御してもよい。これにより、図２の時間ｔ３でクラッチ手段１３が分離動作を行うので、車輪１７により動力源１１が回転される期間が極めて短くなる。ゆえに、減速時に動力源１１で消費されるエネルギー（フリクションロスやポンピングロス等）を低減でき、その分、長時間にわたり車輪１７により発電機２１を回転させることが可能となる。従って、回生電力量を増やすことができるので、大容量の蓄電手段３７の蓄電能力を十分に活用することが可能となる。
【００４６】
但し、このようにクラッチ手段１３を制御すると、いわゆるエンジンブレーキがほとんど得られない状態となるので、下り坂等のエンジンブレーキが必要な場合は上記制御を行わず、図２の時間ｔ３から時間ｔ４における制御を行うようにすればよい。なお、下り坂の判断方法については、例えばアクセルペダルが踏まれていないにもかかわらず、車速が一定であるか、あるいは上昇する場合に、下り坂であると判断すればよい。
【００４７】
また、上記したような、車輪１７の減速とともに動力源１１と変速手段１５の間を分離する制御を行うと、動力源１１の回転数が急峻に低下するため、下限回転数ｒｃに至る時間が短くなり、燃料遮断時間も短くなる。従って、減速時に早期にクラッチ手段１３の分離を行うと、回生電力量が増えることで発電機２１の駆動時間が短くなり燃費向上が図れる一方で、燃料遮断時間の短縮により燃費向上効果が低減する。ゆえに、クラッチ手段１３の分離は、燃費が最もよくなるタイミングで行うことが望ましい。このためには、例えば制御手段３９が現在の蓄電手段３７の蓄電量に応じて、あとどれくらいの回生電力を蓄電できるか予測し、その回生電力量が回収できるようなタイミングでクラッチ手段１３の分離を行えばよい。これにより、さらなる燃費向上を図ることができる。
【００４８】
また、本実施の形態１ではクラッチ手段１３としてロックアップ機構付きトルクコンバータとしているが、これはロックアップ機構のないトルクコンバータでもよい。この場合、図２（ｂ）の時間ｔ２から時間ｔ４で動力源側回転数と変速手段側回転数は近づくものの一致はしない。しかし、動作としてはロックアップ機構のオンオフ制御が不要となる以外は図２と同様である。
【００４９】
また、本実施の形態１では変速手段１５として油圧により変速比を切り替える自動変速機を用いたが、これは連続可変変速機でもよい。
【００５０】
さらに、クラッチ手段１３と変速手段１５には、２ペダル式のマニュアルトランスミッションとしてもよい。この場合、クラッチ手段１３は自動化されているので、制御手段３９によるクラッチ手段１３の係合と分離の操作が可能となる。従って、図２に示す動作が可能となり、燃費を向上できる。
【００５１】
（実施の形態２）
図３は、本発明の実施の形態２における制動力回生装置の各種特性の経時変化図であり、（ａ）は車速の経時変化図を、（ｂ）はクラッチ手段の回転数の経時変化図を、（ｃ）は発電量の経時変化図を、（ｄ）はＤＣ／ＤＣコンバータ入力電力の経時変化図を、（ｅ）は蓄電手段蓄電量の経時変化図を、それぞれ示す。なお、図３（ａ）〜（ｅ）の横軸は全て時間である。また、本実施の形態２においても補機として発電機を用いた場合について述べる。
【００５２】
本実施の形態２における制動力回生装置の構成は、実施の形態１で説明した図１のものと同じであるので、詳細な説明を省略し、本実施の形態２における特徴となる動作について以下説明する。
【００５３】
本実施の形態２では、車両が渋滞時ではない通常の走行時における動作について述べる。まず、車両停止時から加速する動作は基本的に図２に示した時間ｔ０から時間ｔ３と同じであるので、説明を省略する。但し、通常走行時であるので、車速は渋滞時より大きくなる。従って、図２の時間ｔ３では変速手段１５は最も高いギアを選択している状態となる。ゆえに、変速比は１未満の最小値となり、ロックアップ機構によりクラッチ手段１３が係合している状態となっている。
【００５４】
この状態が図３の時間ｔ１０であるとする。すなわち、時間ｔ１０では図３（ａ）、（ｂ）にそれぞれ示すように、車速、およびクラッチ手段１３の回転数が大きい状態である。さらに、クラッチ手段１３が係合しているので、図３（ｂ）に示すように動力源側回転数と変速手段側回転数が一致している。
【００５５】
この時間ｔ１０で運転者がアクセルペダルをオフにして車両の減速が開始されたとする。これにより、図３（ａ）、（ｂ）にそれぞれ示すように、時間ｔ１０から経時的に車速、およびクラッチ手段１３の回転数が低下していく。この時、制御手段３９はアクセルオフ信号や、車速低下、および回転センサ（図示せず）により検出したクラッチ手段１３の回転数の低下を検出すると、車両減速時であると判断し、変速手段１５を例えばサード（３速）ギアにシフトダウンする。さらに、制御手段３９は動力源１１への燃料供給を遮断するとともに、蓄電手段３７に回生電力を充電する分、発電機２１に対し発電量を増やすように制御する。これにより、図３（ｃ）に示すように、時間ｔ１０で発電量が増加し、電気負荷３３と蓄電手段３７に電力が供給される。同時に、蓄電手段３７に回生電力を充電するために、ＤＣ／ＤＣコンバータ３５の入力電力が一定値になるように制御する。この動作により、蓄電手段３７に回生電力が充電され、蓄電手段３７の蓄電量は図３（ｅ）に示すように経時的に増加する。なお、これらの動作は実施の形態１と同様である。
【００５６】
次に、時間ｔ１１でクラッチ手段１３の回転数が下限回転数ｒｃに至ったとする。なお、下限回転数ｒｃの意味は実施の形態１と同じである。この時点で、制御手段３９は動力源１１に対し燃料供給を再開するとともに、動力源１１と変速手段１５の間を分離する。これにより、図３（ｂ）の太実線に示すように、動力源側回転数は速やかに低下し、時間ｔ１２でアイドリング回転数ｒｉに至り、以後アイドリング回転数ｒｉを維持する。この間、変速手段側回転数は図３（ｂ）の太点線に示すように車輪１７の回転に応じ徐々に低下していくが、回転は継続しているので、図３（ｃ）〜（ｅ）に示すように、発電機２１で発生した回生電力の蓄電手段３７への充電も継続される。
【００５７】
その後、図３（ｂ）の太点線に示すように変速手段側回転数は時間ｔ１３でアイドリング回転数ｒｉに至る。この状態のままでは動力源側回転数の方が変速手段側回転数より高くなるので、発電機２１には回転数選択手段１９により動力源１１の回転トルクが伝達されることになる。従って、時間ｔ１３の時点で、もはや車輪１７の回転トルクにより発電することができなくなってしまう。
【００５８】
そこで、本実施の形態２では、回転センサ（図示せず）により検出した変速手段側回転数がアイドリング回転数ｒｉに至ると、制御手段３９は変速手段１５に対し、ギアを１段シフトダウンするように制御する。具体的には、時間ｔ１３までは変速手段１５はサード（３速）ギアを選択していたので、制御手段３９はセカンド（２速）ギアにシフトダウンするよう変速手段１５を制御する。その結果、変速比が大きくなるので、図３（ｂ）の太点線に示すように、変速手段側回転数は時間ｔ１３で急に高くなる。これにより、変速手段側回転数の方が動力源側回転数より高い状態を維持できるので、引き続き発電機２１には車輪１７からの回転トルクが伝達され、さらなる回生電力の回収が可能となる。
【００５９】
その後、さらに車速が低下し、図３（ｂ）の太点線に示すように、時間ｔ１４で変速手段側回転数がアイドリング回転数ｒｉに至ると、制御手段３９はセカンド（２速）ギアからロー（１速）ギアにシフトダウンするよう変速手段１５を制御する。これにより、時間ｔ１４で変速手段１５の変速比がさらに大きくなるので、変速手段側回転数が高くなり、引き続き発電機２１には車輪１７からの回転トルクが伝達される。
【００６０】
以上の動作をまとめると、制御手段３９は、車輪１７の減速時に動力源側回転数より変速手段側回転数の方が高くなるように、変速手段１５の変速比を制御している。これにより、図３（ｃ）〜（ｅ）に示すように、時間ｔ１３から時間ｔ１５においても蓄電手段３７への充電が継続されるので、より多くの回生電力を回収できる。
【００６１】
その後、図３（ｂ）の太点線に示すように、時間ｔ１５で変速手段側回転数がアイドリング回転数ｒｉに至ると、変速手段１５の変速比をこれ以上大きくすることができないので、制御手段３９は発電機２１に対し発電を停止するよう制御すると同時に、ＤＣ／ＤＣコンバータ３５に対し蓄電手段３７の電力を放電するように制御する。これらの動作は実施の形態１と同じである。その結果、発電機２１を停止しても蓄電手段３７からＤＣ／ＤＣコンバータ３５を介して電気負荷３３に電力が供給される。これにより、図３（ｅ）に示すように、時間ｔ１５以降において、蓄電手段３７の蓄電量は低下していく。
【００６２】
その後、図３（ａ）に示すように、時間ｔ１６で車速が０になり車両が停止しても、蓄電手段３７に電力が蓄えられている間は発電機２１を停止したまま蓄電手段３７から電気負荷３３に電力を供給し続ける。これ以降の動作は図３に記載していないが、実施の形態１と同じである。
【００６３】
以上の構成、動作により、車輪１７が低速回転していても十分な回生電力が得られるとともに、車輪１７の減速時に動力源側回転数より変速手段側回転数の方が高くなるように、変速手段１５の変速比を制御することにより、さらに多くの回生電力を回収することができ、さらなる燃費向上が可能な制動力回生装置を実現できる。
【００６４】
（実施の形態３）
図４は、本発明の実施の形態３における制動力回生装置の概略構成図である。なお、本実施の形態２においても補機として発電機を用いた場合について述べる。また、本実施の形態３の構成において、図１と同じ構成要素には同じ符号を付して詳細な説明を省略する。すなわち、本実施の形態３の特徴となる構成は以下の通りである。
【００６５】
１）発電機２１の出力に直接蓄電手段３７を接続した。
【００６６】
２）ＤＣ／ＤＣコンバータ３５の出力にバッテリ３１、および電気負荷３３を接続した。
【００６７】
３）発電機２１の出力に電圧検出手段４１を接続した。
【００６８】
４）発電機２１の出力に電流検出手段４３を接続した。
【００６９】
上記以外の構成は図１と同じである。なお、電圧検出手段４１と電流検出手段４３の検出値出力は制御手段３９に入力される。また、電流検出手段４３の電流検出は発電機２１の出力線に設けた電流センサにより行う構成としている。
【００７０】
次に、このような制動力回生装置の動作について説明する。
【００７１】
まず、クラッチ手段１３、変速手段１５、回転数選択手段１９等の機械的な構成要素の動作は実施の形態１、２と同じであるので、詳細な説明を省略し、本実施の形態３の特徴となる電気系統の動作について述べる。
【００７２】
車両の非使用時においては、発電機２１が動作しておらず、ＤＣ／ＤＣコンバータ３５も停止しているので、バッテリ３１の電圧（通常状態で１４Ｖとする）と蓄電手段３７の初期電圧がほぼ等しい状態である。従って、蓄電手段３７の電圧は最低でもバッテリ３１の電圧を維持している。
【００７３】
この状態で車両のイグニションスイッチ（図示せず）をオンにすると、動力源１１が動作し、これにより発電機２１が発電を開始する。この時、制御手段３９は、発電機２１の電圧が電圧検出手段４１で検出した蓄電手段３７の初期電圧（１４Ｖ）とほぼ等しくなるように制御する。同時に、ＤＣ／ＤＣコンバータ３５の動作も開始する。これにより、発電機２１の発電電力は蓄電手段３７には供給されず、ＤＣ／ＤＣコンバータ３５を介してバッテリ３１や電気負荷３３に供給される。この状態は車両の加速時にも維持される。
【００７４】
次に、車両制動により減速を開始すると、制御手段３９はブレーキの強度に応じて発電機２１の発電電力を上げ、回生電力を回収するように制御する。この際、発生する回生電力はブレーキ強度に応じて一定の値となるように制御手段３９によって制御される。ゆえに、発電機２１は定電力制御がなされることになる。
【００７５】
この時、発電機２１の発電電圧は蓄電手段３７の電圧より僅かに高い電圧となるので、回生電力により増加した発電量が蓄電手段３７に充電される。このような動作により、発電機２１の回生電力はＤＣ／ＤＣコンバータ３５を介して電気負荷３３に供給されるとともに、蓄電手段３７の充電が行われる。ここで、実施の形態１と同様に電気負荷３３で消費する電流が一定であるとすると、回生電力の余剰分が蓄電手段３７に充電されることになる。なお、上記した定電力制御は、電圧検出手段４１の出力と電流検出手段４３の出力の積が既定の一定値になるようにして行われている。これらの動作により、蓄電手段３７の蓄電量は充電とともに経時的に上昇していく。
【００７６】
その後、図２（ｂ）の時間ｔ５のように、変速手段側回転数が動力源側回転数より低くなると、制御手段３９は発電機２１の発電を停止する。これにより、蓄電手段３７の電力がＤＣ／ＤＣコンバータ３５により降圧されて電気負荷３３に供給される。その結果、発電機２１が停止している間、動力源１１の機械的負担が軽減されるとともに、回生電力を電気負荷３３に供給しているので、車両の燃費向上を図ることができる。
【００７７】
制御手段３９は電圧検出手段４１により蓄電手段３７の電圧を検出し、初期電圧（１４Ｖ）に至るまで蓄電手段３７を放電する。この蓄電手段３７の電圧が初期電圧である状態が蓄電量０％となる。初期電圧に至れば、制御手段３９は発電機２１に対し発電電圧が蓄電手段３７の電圧とほぼ等しくなるように発電を再開する。これにより、発電電力は蓄電手段３７には充電されずに、ＤＣ／ＤＣコンバータ３５を介して電気負荷３３に供給される。
【００７８】
このような動作を繰り返すことにより、制動時に発生する回生電力を、都度有効に利用でき、燃費向上が可能となる。
【００７９】
以上に説明した図４の構成、および動作とすることにより、減速時の回生電力は直接蓄電手段３７に充電されることになる。この際、回生電力は数ｋＷ程度であるので、蓄電手段３７の充電電圧が数１０Ｖとすると、数１００Ａ程度の電流が蓄電手段３７に流れる。この電流を実施の形態１の図１に示す構成で流すと、ＤＣ／ＤＣコンバータ３５に大電流が流れることになり、その内部抵抗による損失が大きくなるが、本実施の形態３における図４の構成であれば、ＤＣ／ＤＣコンバータ３５を介さずに、直接蓄電手段３７を充電できるので、大電流が流れても低損失な制動力回生装置が得られる。
【００８０】
さらに、図１の構成では、蓄電手段３７の充放電をＤＣ／ＤＣコンバータ３５により制御しているので、双方向コンバータの構成とする必要があるが、本実施の形態３の構成ではＤＣ／ＤＣコンバータ３５は電気負荷３３側にしか電流を流さないので、より簡単な構成、制御とすることができる。
【００８１】
以上の構成、動作により、実施の形態１、２と同様に、車輪１７が低速回転していても十分な回生電力が得られるとともに、発電機２１と蓄電手段３７を直接接続したので、ＤＣ／ＤＣコンバータ３５による損失が少なく、簡単な構成、制御の制動力回生装置を実現できる。
【００８２】
なお、本実施の形態１〜３では、補機として発電機２１を用いた場合について説明したが、それに限らず、コンプレッサや油圧ポンプ等を回転数選択手段１９の出力に接続する構成としてもよい。これによっても、減速時において車輪１７が低速回転していても、回生による圧力が十分に得られ、動力源１１の負担が軽減されるので、燃費向上が図れる。さらに、発電機２１、コンプレッサ、油圧ポンプ等を複数同時に回転数選択手段１９の出力に接続する構成としてもよい。この場合は、減速時における動力源１１の負担がさらに軽減されるので、燃費がより向上する。
【００８３】
また、実施の形態１〜３において蓄電手段３７には電気二重層キャパシタを用いたが、これは電気化学キャパシタ等の他のキャパシタでもよい。
【００８４】
また、実施の形態１〜３の制動力回生装置は、ハイブリッド車や、アイドリングストップ、電動パワーステアリング、車両制動システム、電動過給器等の各システムにおける車両用補助電源等に適用可能である。
【産業上の利用可能性】
【００８５】
本発明にかかる制動力回生装置は、車輪が低速回転していても十分な回生が得られるので、減速時に補機を駆動することにより運動エネルギーを回収する車両用の制動力回生装置等として有用である。
【図面の簡単な説明】
【００８６】
【図１】本発明の実施の形態１における制動力回生装置の概略構成図
【図２】本発明の実施の形態１における制動力回生装置の各種特性の経時変化図であり、（ａ）は車速の経時変化図、（ｂ）はクラッチ手段の回転数の経時変化図、（ｃ）は発電量の経時変化図、（ｄ）はＤＣ／ＤＣコンバータ入力電力の経時変化図、（ｅ）は蓄電手段蓄電量の経時変化図
【図３】本発明の実施の形態２における制動力回生装置の各種特性の経時変化図であり、（ａ）は車速の経時変化図、（ｂ）はクラッチ手段の回転数の経時変化図、（ｃ）は発電量の経時変化図、（ｄ）はＤＣ／ＤＣコンバータ入力電力の経時変化図、（ｅ）は蓄電手段蓄電量の経時変化図
【図４】本発明の実施の形態３における制動力回生装置の概略構成図
【図５】従来の補機駆動装置の全体構成図
【符号の説明】
【００８７】
１１  動力源
１３  クラッチ手段
１５  変速手段
１７  車輪
１９  回転数選択手段
２１  発電機
３５  ＤＣ／ＤＣコンバータ
３７  蓄電手段
３９  制御手段
【図１】
2009207243.tif 000003
【図２】
2009207243.tif 000004
【図３】
2009207243.tif 000005
【図４】
2009207243.tif 000006
【図５】
2009207243.tif 000007